(57)【特許請求の範囲】
【請求項１】
手摺部材と、該手摺部材をかご室内の壁面に対して支持するブラケット部材とを備え、
前記ブラケット部材は、第１回転軸回りに回転可能で、且つ、該壁面またはその一体物との当接後は利用者の押し下げ力によって回転しないように支持されており、
ブラケット回転許可部をさらに備え、
前記ブラケット回転許可部は、前記手摺部材に作用する引き上げ力の大きさに応じて前記ブラケット部材の前記壁面から離れる向きの回転を選択的に許可又は抑止し、
前記ブラケット部材には、手摺移動許可スイッチが設けられており、
前記手摺移動許可スイッチは、該手摺移動許可スイッチと前記壁面との当接または距離に応じて手摺部材の移動を選択的に許可又は抑止し、
前記ブラケット部材は、前記手摺移動許可スイッチの作動によって前記手摺部材と前記第１回転軸との距離を延長するような該手摺部材の移動を許可するように構成されている、
エレベータかご室内手摺。
【請求項２】
前記ブラケット回転許可部は、前記壁面及び前記ブラケット部材の一方に一体的であるマグネットと、他方に一体的である磁性体とで構成されている、
請求項１のエレベータかご室内手摺。
【請求項３】
前記手摺移動許可スイッチは、前記ブラケット部材に設けられ、前記壁面またはその一体物との当接によって押し込まれていることで前記手摺部材の移動を抑止する押しボタン機構である、
請求項１又は２のエレベータかご室内手摺。
【請求項４】
前記ブラケット部材は、第１ブラケット部と、第２ブラケット部とを含み、
前記第１ブラケット部は、その上端側において前記第１回転軸回りに回転可能に支持されており、
前記第１ブラケット部の下端と、前記第２ブラケット部の基端とは、第２回転軸によって相互回転可能に連接されており、
前記第２ブラケット部の先端には、前記手摺部材が固定されており、
前記手摺移動許可スイッチは、前記第１ブラケット部及び前記第２ブラケット部の相互回転を選択的に許可又は抑止する、
請求項１乃至３の何れか一項のエレベータかご室内手摺。
【請求項５】
前記ブラケット部材は、第１ブラケット部と、第２ブラケット部とを含み、
前記第１ブラケット部は、その上端側において前記第１回転軸回りに回転可能に支持されており、
前記第２ブラケット部は、その基部が前記第１ブラケット部に固定され、且つ、テレスコピック態様で伸長可能であり、
前記第２ブラケット部の先端には、前記手摺部材が固定されており、
前記手摺移動許可スイッチは、前記第２ブラケット部の伸長動作を選択的に許可又は抑止する、
請求項１乃至３の何れか一項のエレベータかご室内手摺。
【請求項６】
手摺部材と、該手摺部材をかご室内の壁面に対して支持するブラケット部材と、ブラケット回転許可部と、手摺移動許可スイッチとを備えるエレベータかご室内手摺を用意し、
前記手摺部材に作用する引き上げ力の大きさに応じて前記ブラケット回転許可部が作動することで前記ブラケット部材の前記壁面から離れる向きの回転が許可され、
それによって、前記ブラケット部材が前記引き上げ力によって第１回転軸回りに回転し、
それによって、前記手摺移動許可スイッチが前記壁面から離れることで、該手摺移動許可スイッチが作動し、前記手摺部材と前記第１回転軸との距離を延長するような該手摺部材の移動が許可され、
それによって、前記引き上げ力によって前記手摺部材が前記第１回転軸から離れるように移動し、
前記手摺部材と前記壁面との間隔が拡大される、
エレベータかご室内手摺の挟まり解消方法。
【発明の詳細な説明】
【技術分野】
【０００１】
本発明は、エレベータかご室内手摺、及び、その手摺の挟まり解消方法に関するものである。
【背景技術】
【０００２】
従来より、エレベータのかご室内においては、壁面に手摺が設けられている。また、手摺とかご室内の壁面との間の狭い隙間に荷物等が挟まってしまった場合に、その荷物等を取り除くことを助けるための工夫もある。
【０００３】
例えば、特許文献１には、かご室内の壁面に取付台を固定し、その取付台にロック機構を介して手摺を連結する構成が開示されている。そして、荷物等が挟まってしまった場合には、そのロック機構を解放して、手摺を固定台に対して可動にし、手摺とかご室内の壁面との間隔を広げて、荷物等を簡単に取り除けるように企図されている。
【先行技術文献】
【特許文献】
【０００４】
【特許文献１】特開２００８−１４３６７２号公報
【発明の概要】
【発明が解決しようとする課題】
【０００５】
手摺とかご室内の壁面との間に荷物等が挟まってしまった場合、利用者が慌てて荷物等を引き抜こうとすることが多い。特に、閉じられた狭い空間であることや、比較的短い時間で降車の必要があること等が相まって、挟まったものを最初の動作でうまく外せない場合、利用者によっては軽いパニック状態になることもあり得る。また、利用者が子供である場合には、特にそのような傾向が強い。そのため、例え特許文献１に開示のようなロック機構があっても、ロック機構を解除するのに思い至らないケースや、ロック機構の解除に手間取るケースもあり得る。
【０００６】
本発明は、上記に鑑みてなされたものであり、利用者が正確に手順を実行することが困難な状況や予め構造を認識していない状況でも壁面と手摺との間における物体の挟まり状態を解消することができる、エレベータかご室内手摺を提供することを目的とする。
【課題を解決するための手段】
【０００７】
上述した目的を達成するため、本発明のエレベータかご室内手摺は、手摺部材と、該手摺部材をかご室内の壁面に対して支持するブラケット部材とを備え、前記ブラケット部材は、第１回転軸回りに回転可能で、且つ、該壁面またはその一体物との当接後は利用者の押し下げ力によって回転しないように支持されており、ブラケット回転許可部をさらに備え、前記ブラケット回転許可部は、前記手摺部材に作用する引き上げ力の大きさに応じて前記ブラケット部材の前記壁面から離れる向きの回転を選択的に許可又は抑止し、前記ブラケット部材には、手摺移動許可スイッチが設けられており、前記手摺移動許可スイッチは、該手摺移動許可スイッチと前記壁面との当接または距離に応じて手摺部材の移動を選択的に許可又は抑止し、前記ブラケット部材は、前記手摺移動許可スイッチの作動によって前記手摺部材と前記第１回転軸との距離を延長するような該手摺部材の移動を許可するように構成されている。
さらに、同目的を達成するための本発明のエレベータかご室内手摺の挟まり解消方法は、手摺部材と、該手摺部材をかご室内の壁面に対して支持するブラケット部材と、ブラケット回転許可部と、手摺移動許可スイッチとを備えるエレベータかご室内手摺を用意し、前記手摺部材に作用する引き上げ力の大きさに応じて前記ブラケット回転許可部が作動することで前記ブラケット部材の前記壁面から離れる向きの回転が許可され、それによって、前記ブラケット部材が前記引き上げ力によって第１回転軸回りに回転し、それによって、前記手摺移動許可スイッチが前記壁面から離れることで、該手摺移動許可スイッチが作動し、前記手摺部材と前記第１回転軸との距離を延長するような該手摺部材の移動が許可され、それによって、前記引き上げ力によって前記手摺部材が前記第１回転軸から離れるように移動し、前記手摺部材と前記壁面との間隔が拡大される。
【発明の効果】
【０００８】
本発明によれば、利用者が正確に手順を実行することが困難な状況や予め構造を認識していない状況でも壁面と手摺との間における物体の挟まり状態を解消することができる。
【図面の簡単な説明】
【０００９】
【図１】本発明の実施の形態１に係るエレベータかご室内手摺の概要を示す図である。
【図２】実施の形態１に係るエレベータかご室内手摺の動作を示す図である。
【図３】実施の形態２に関する、図２と同態様の図である。
【発明を実施するための形態】
【００１０】
以下、本発明に係るエレベータかご室内手摺の実施の形態について添付図面に基づいて説明する。なお、図中、同一符号は同一又は対応部分を示すものとする。
【００１１】
実施の形態１．
図１は、本発明の実施の形態１に係るエレベータかご室内手摺の概要を示す図であり、図２は、実施の形態１に係るエレベータかご室内手摺の動作を示す図である。図１に示されるように、エレベータかご室内手摺２１は、エレベータのかご室１内の側壁３に設置されている。なお、これは、設置態様の一例であり、エレベータかご室内手摺はかご室１内の後壁５に設置されていてもよく、あるいは、側壁３及び後壁５の両方に設置されていてもよい。
【００１２】
エレベータかご室内手摺２１は、手摺部材２３と、左右一対のブラケット部材２５，２５とを備える。ブラケット部材２５のそれぞれは、軸支部材７及び取付板９を介して、側壁３に取り付けられている。
【００１３】
図２に基づいてブラケット部材２５の詳細について説明する。ブラケット部材２５は、手摺部材２３を側壁３に対して支持するものであり、第１回転軸２７回りに回転可能で、且つ、側壁３またはその一体物との当接後は利用者の押し下げ力Ｐによって回転しないように支持されている。
【００１４】
ブラケット部材２５は、第１ブラケット部２９と、第２ブラケット部３１とを含む。第１ブラケット部２９は、その上端側において第１回転軸２７回りに回転可能に支持されている。また、第１ブラケット部２９の下端と、第２ブラケット部３１の基端とは、第２回転軸３３によって、第１ブラケット部２９と第２ブラケット部３１との関係が相互に回転可能となるように、連接されている。手摺部材２３は、第２ブラケット部３１の先端に固定されている。
【００１５】
また、エレベータかご室内手摺２１は、ブラケット回転許可部を備えており、本実施の形態１のブラケット回転許可部は、側壁３に固定されたマグネット３５と、図２の（ａ）の手摺使用時（平常時）においてそのマグネット３５と対面する部分であるブラケット部材２５の磁性体の面とで構成されている。なお、ブラケット部材２５側にマグネットを設けて、側壁３側に磁性体の面を設けてもよい。
【００１６】
また、ブラケット部材２５には、手摺移動許可スイッチが設けられている。本実施の形態１の手摺移動許可スイッチは、側壁３またはその一体物（例えばマグネット３５等）との当接によって押し込まれていることで後述するように手摺部材２３の移動を抑止する押しボタン機構３７である。
【００１７】
すなわち、押しボタン機構３７のボタンは、図２の（ａ）の手摺使用時には、側壁３またはその一体物（例えばマグネット３５等）と当接することで、第１ブラケット部２９の内部側に押し込まれており、それによって、第１ブラケット部２９と第２ブラケット部３１との第２回転軸３３回りの相互回転が抑止されるように構成されている。一方、図２の（ｂ）のように、ブラケット部材２５が回転されて第１ブラケット部２９が側壁３等から十分に離れると、それまでのボタンの押し込みが解除され、第１ブラケット部２９と第２ブラケット部３１との相互回転が許可されるようになっている。
【００１８】
次に、上記のように構成された本実施の形態１に係るエレベータかご室内手摺の動作、すなわち、エレベータかご室内手摺における挟まり解消方法について説明する。まず、図２の（ａ）に示されるように、手摺使用時においては、押しボタン機構３７のボタンが側壁３等に当接することで押し込まれており、第２ブラケット部３１が第１ブラケット部２９に対して回転しないようになっている。それによって、本実施の形態１では、上下方向に延びる第１ブラケット部２９に対して、第２ブラケット部３１が水平な姿勢に維持され、すなわち、第１ブラケット部２９と第２ブラケット部３１とがほぼ９０度をなすような側面視Ｌ字状に保持されている。さらに、この状態では、第１ブラケット部２９がマグネット３５に吸着されており、ブラケット部材２５ひいては手摺部材２３が安易にガタつくことなく保持されている。また、手摺部材２３に押し下げ力Ｐが作用しても、第２ブラケット部３１と第１ブラケット部２９との相互回転が抑止され、且つ、第１ブラケット部２９が側壁３またはその一体物（本例ではマグネット３５）と当接しブラケット部材２５全体が側壁３により支えられることから、手摺部材２３及びブラケット部材２５は、図２の（ａ）の状態をしっかり維持することができる。よって、利用者は、手摺部材２３を掴んだり、例えば押し下げ力Ｐを付与するような格好で手摺部材２３にもたれかかったりすることもできる。
【００１９】
一方、利用者が荷物等の物体を側壁３と手摺部材２３との間に挟めてしまった場合には、次のようにして、側壁３と手摺部材２３との間隔を広げることができる。すなわち、利用者は、挟まった対象を引き上げようとして、手摺部材２３に引き上げ力Ｄを付与する。この引き上げ力Ｄにより、まず、ブラケット回転許可部が作動しすなわちマグネット３５から第１ブラケット部２９が引き離され、それによって、図２の（ｂ）に示されるように、第１ブラケット部２９が、矢印Ｒ１のように第１回転軸２７回りに回転する。それにより、手摺移動許可スイッチが側壁３から離れることで、手摺移動許可スイッチが作動し、手摺部材２３と第１回転軸２７との距離を延長するような手摺部材２３の移動が許可される。つまり、押しボタン機構３７のボタンの押し込みが解除され、第１ブラケット部２９と第２ブラケット部３１との相互回転が許可される。それにより、図２の（ｃ）に示されるように、引き上げ力Ｄによって、第１ブラケット部２９が、矢印Ｒ１のように第１回転軸２７回りに回転すると共に、第２ブラケット部３１は、回転する第１ブラケット部２９に対して更に、矢印Ｒ２のように第２回転軸３３回りに回転し、手摺部材２３が側壁３から大きく引き離される。このように、第２ブラケット部３１が手摺部材２３を側壁３から離すように動作することに加え、第２ブラケット部３１自体も第１ブラケット部２９によって側壁３から離されるように移動され、つまり、手摺部材２３はブラケット部材２５の二段階の動作によって、側壁３から大きく離される。よって、利用者は、手摺部材２３と側壁３との間隔が拡大されたのち、挟まった対象を容易に取り除くことができる。なお、ブラケット回転許可部は、手摺部材に作用する引き上げ力の大きさに応じてブラケット部材の壁面から離れる向きの回転を選択的に許可又は抑止するが、どの程度の引き上げ力により回転が許可されるかは、実際の試行や顧客の要望等によって適宜決定するとよい。
【００２０】
以上に説明した本実施の形態１によれば、ブラケット部材の回転許可・ブラケット部材の回転・手摺部材の移動許可・手摺部材と第１回転軸との距離の拡大の全てが、つまり手摺部材を壁面から離隔方向へ移動させる動作の全てが、利用者の手摺部材への引き上げ力に基づいて行われる。よって、利用者が挟まりを解消しようとする自然の動作だけを利用して、手摺部材とかご室内の壁面との間隔の拡大が達成される。よって、パニック状態にある場合等、利用者が正確に手順を実行することが期待できない場合や、利用者が子供である場合等、予め構造を認識できていない場合でも、壁面と手摺部材との間における物体の挟まり状態を解消することができる。また、本実施の形態１によれば、挟まった対象を取り除き、再度、通常時のように手摺を機能させる場合、単に、手摺部材をそれ以上動かなくなるまで、壁面側に押し下げればよく、それによって具体的には、第１ブラケット部２９はマグネット３５に吸着され、押しボタン機構３７のボタンが押し込まれ、第１ブラケット部２９と第２ブラケット部３１との相対回転が抑止される。よって、例えば、手間のかかるロック機構を元に戻したり、取り外していたパーツを取り付けなおしたりといった作業は必要なく、単に、手摺部材を元の位置に戻すだけで、全ての姿勢・機能が元に戻るという利点がある。
【００２１】
実施の形態２．
次に、図３に基づいて実施の形態２について説明する。本実施の形態２は、手摺部材をブラケット部材の二段階の動作によって、側壁から大きく離すに際し、第２ブラケット部の具体的構成を改変したものであり、それ以外の構成・動作については、上述した実施の形態１と同様である。
【００２２】
図３は、本実施の形態２に関する、図２と同態様の図である。本実施の形態２のエレベータかご室内手摺１２１において、第２ブラケット部１３１の基部は、第１ブラケット部２９の下端に固定されており、第２ブラケット部１３１の先端には、手摺部材２３が固定されている。そして、第２ブラケット部１３１は、テレスコピック態様で伸長可能に構成されている。また、手摺移動許可スイッチは、第２ブラケット部１３１の伸長動作を選択的に許可又は抑止するものであり、すなわち、押しボタン機構３７のボタンの押し込みが解除されると、第２ブラケット部１３１のテレスコピック態様での伸長が可能となる。
【００２３】
本実施の形態２のエレベータかご室内手摺１２１の動作を説明する。図３の（ａ）に示される状態では、第１ブラケット部２９がマグネット３５に吸着され、押しボタン機構３７のボタンが押し込まれており、第２ブラケット部１３１が短縮された状態に維持される。よって、エレベータかご室内手摺１２１は、しっかりとその状態・姿勢を保ち、手摺として機能する。また、利用者が手摺部材２３と側壁３との間隔を広げようと、十分な引き上げ力Ｄを手摺部材２３に付与すると、第１ブラケット部２９がマグネット３５から離れ、第１ブラケット部２９が第１回転軸２７回りに回転し、押しボタン機構３７のボタンの押し込みが解除され、第２ブラケット部１３１が図３の（ｃ）に矢印Ｅで示されるように伸長し、すなわち、手摺部材２３が回転により傾いた第１ブラケット部２９から離れるように、つまり、第１回転軸２７から離れるように移動する。これにより、手摺部材２３と側壁３との間隔が拡大される。
【００２４】
このように、本実施の形態２においても、上述した実施の形態１と同様、ブラケット部材の回転許可・ブラケット部材の回転・手摺部材の移動許可・手摺部材と第１回転軸との距離の拡大の全てが、利用者の手摺部材への引き上げ力に基づいて行われる。よって、利用者が正確に手順を実行することが期待できない場合や、予め構造を認識できていない場合でも、壁面と手摺部材との間における物体の挟まり状態を解消することができる。また、本実施の形態２においても、単に、手摺部材をそれ以上動かなくなるまで、壁面側に押し下げるだけで、全ての姿勢・機能が元に戻り、手摺の機能を復活させることができる。
【００２５】
以上、好ましい実施の形態を参照して本発明の内容を具体的に説明したが、本発明の基本的技術思想及び教示に基づいて、当業者であれば、種々の改変態様を採り得ることは自明である。
【００２６】
上述したマグネットと磁性体は、ブラケット回転許可部の一例であり、本発明におけるブラケット回転許可部としては、手摺部材に作用する引き上げ力の大きさに応じてブラケット部材の壁面から離れる向きの回転を選択的に許可又は抑止できるものであれば、これに限定されるものではない。よって、ある程度の力を付与すると吸着が解消する吸盤や、ある程度の力を付与すると結合が外れる樹脂製のラッチや、静止摩擦係数がある程度大きな可動機構を、ブラケット回転許可部として利用してもよい。これによっても、平常時はブラケット部材が容易に動くことがなく、且つ、利用者がある程度の力を加えると、ブラケット部材がかご室内の壁面に対して回転する作用が得られる。
【００２７】
また、押しボタン機構は、手摺移動許可スイッチの一例であり、本発明における手摺移動許可スイッチとしては、その手摺移動許可スイッチとかご室内の壁面との当接または距離に応じてスイッチの作動状態が切り替わり、それによって、手摺部材の移動を選択的に許可又は抑止できるものであれば、これに限定されるものではない。さらに、手摺移動許可スイッチとブラケット回転許可部とを共に磁力状態又は当接状態に応じて動作するものにし、手摺移動許可スイッチとブラケット回転許可部との構成要素の共通化や一部兼用化を図ることも可能であろう。
【符号の説明】
【００２８】
１  エレベータのかご室、３  側壁（かご室内の壁面）、２１，１２１  エレベータかご室内手摺、２３  手摺部材、２５  ブラケット部材、２７  第１回転軸、２９  第１ブラケット部、３１，１３１  第２ブラケット部、３３  第２回転軸、３５  マグネット、３７  押しボタン機構。
【図１】
0005818742.tif 000002
【図２】
0005818742.tif 000003
【図３】
0005818742.tif 000004